(57)【要約】【課題】小型の原稿台を用いて読取ったブックタイプの原稿画像から、見易いプリント画像を得る画像形成装置を提供する。【解決手段】実施形態の画像形成装置は、原稿載置部と、前記原稿載置部に載置される原稿を読取る画像読取部と、前記画像読取部で読取った前記原稿の画像データを画像処理する画像処理部と、前記画像読取部にてブックタイプ原稿を１ページ毎に読み取り、前記読取った画像データを前記画像処理部にて１ページおきに上下に反転制御する制御部とを備える。【選択図】図４
2014090390.tif 000002
【特許請求の範囲】
【請求項１】
原稿載置部と、
前記原稿載置部に載置される原稿を読取る画像読取部と、
前記画像読取部で読取った前記原稿の画像データを画像処理する画像処理部と、
前記画像読取部にてブックタイプ原稿を１ページ毎に読み取り、前記読取った画像データを前記画像処理部にて１ページおきに上下に反転制御する制御部とを具備することを特徴とする画像形成装置。
【請求項２】
前記原稿載置部は、前記ブックタイプ原稿の角を合わせる基準点を備えることを特徴とする請求項１に記載の画像形成装置。
【請求項３】
１ページ毎に上下に反転して原稿載置部に載置されたブックタイプ原稿を１ページ毎に読取る工程と、
前記ブックタイプ原稿から読取った画像データを１ページおきに上下に反転する工程とを具備することを特徴とする画像形成方法。
【請求項４】
前記ブックタイプ原稿の角を前記原稿載置部の基準点にあわせて、前記原稿載置部に載置された前記ブックタイプ原稿を読取ることを特徴とする請求項３に記載の画像形成方法。
【発明の詳細な説明】
【技術分野】
【０００１】
実施形態は、ブックタイプの原稿を用いて連続画像形成を行う画像形成装置及び画像形成方法に関する。
【背景技術】
【０００２】
Ｍｕｌｔｉ  Ｆｕｎｃｔｉｏｎ  Ｐｅｒｉｐｈｅｒａｌ（ＭＦＰ）やプリンタ等の画像形成装置では、ブックタイプの原稿を見開きにして原稿台に載置し、スキャナで両方のページを一度に読取った後、原稿の綴じ代を境に読み取りデータを半々に分割して、ページ毎にプリント画像を形成する装置がある。しかしながら原稿台が小さい小型の画像形成装置では、見開きにした原稿の片側しか原稿台に載置できず、両方のページを一度に読取れない。
【先行技術文献】
【特許文献】
【０００３】
【特許文献１】特開２００７−２７９６０４号公報
【発明の概要】
【発明が解決しようとする課題】
【０００４】
この発明が解決しようとする課題は、ブックタイプの原稿を、片面ずつ上下に反転して原稿台にセットして、１ページずつ読取った場合に、上下方向の揃ったプリント画像を容易に得る画像形成装置及び画像形成方法を提供することである。
【課題を解決するための手段】
【０００５】
上記課題を達成するために、実施形態の画像形成装置は、原稿載置部と、前記原稿載置部に載置される原稿を読取る画像読取部と、前記画像読取部で読取った前記原稿の画像データを画像処理する画像処理部と、前記画像読取部にてブックタイプ原稿を１ページ毎に読み取り、前記読取った画像データを前記画像処理部にて１ページおきに上下に反転制御する制御部とを備える。
【図面の簡単な説明】
【０００６】
【図１】実施形態のＭＦＰを示す概略正面図。
【図２】実施形態のＭＦＰのスキャナ及びコントロールパネルを示す概略上面図。
【図３】実施形態のＭＦＰの要部構成を示す概略ブロック図。
【図４】実施形態のブックモードのプリント操作を示すフローチャート。
【図５】実施形態のディスプレイの表示画面の例を示す概略説明図であり、（ａ）はモード選択画面、（ｂ）は原稿セット画面、（ｃ）は次ページプリント画面、（ｄ）は次ページセット画面を示す。
【図６】実施形態の原稿台に載置するブックタイプの原稿を見開いた状態を示す概略説明図。
【発明を実施するための形態】
【０００７】
以下実施形態について図１乃至図６を参照して説明する。図１は、実施形態の画像形成装置の一例であるＭＦＰ（Multi Function Peripheral）１０を示す概略正面図である。ＭＦＰ１０は、画像形成部であるプリンタ部１１を内蔵し、中空の排紙部１０ａを備える。ＭＦＰ１０は、プリンタ部１１の上方に画像読取部であるスキャナ部１２及びスキャナ部１２に原稿を搬送するＡＤＦ（Auto document feeder）１３を備える。ＭＦＰ１０は、プリンタ部１１の下方に、例えばＪＩＳ規格のＡ・４サイズ或いは欧米の便箋のレターサイズのシートを収納する給紙カセット部１４を備える。給紙カセット部１４は、給紙可能であれば、Ａ・４サイズ或いはレターサイズ以外のシートを収納しても良い。給紙カセット部１４は、未使用のシート或いはリユースのシート（例えば画像を消色処理により消色したシート）等を給紙可能である。ＭＦＰ１０は、フロント側にコントロールパネル１６、トナーカートリッジカバー１７を備える。
【０００８】
図２に示すように、スキャナ部１２は、原稿載置部である透明の原稿台１８と透明の読取ガラス１９を備える。スキャナ部１２は、例えばＣＣＤラインセンサなどを用いて原稿台１８上の原稿を走査して画像を読取り、画像信号を生成する。スキャナ部１２は、ＡＤＦ１３に搬送され、読取ガラス１９上を走行する原稿画像を読取り、画像信号を生成する。
【０００９】
原稿台１８は、例えばＪＩＳ規格のＡ・４サイズ及び欧米の便箋のレターサイズの原稿を載置可能である。スキャナ部１２は、原稿台１８周囲の左サイド及びリアサイドに原稿スケール２０ａ、２０ｂを備える。スキャナ部１２は、矢印で示される原稿台１８の左サイドとリアサイドの交点を、ブックタイプの原稿を載置する場合の基準点２１とする。
【００１０】
コントロールパネル１６は、例えば、ユーザによる入力を受け付けるキーボード１６ａ及び、ユーザによる入力を受け付け、あるいはユーザへの表示を行う、タッチパネル式のディスプレイ１６ｂを備える。キーボード１６ａは、プリントを開始するためのプリントキー１６ｃを備える。
【００１１】
ＭＦＰ１０は、例えばスキャナ部１２で読取った画像データに対応する画像を、プリンタ部１１にて給紙カセット部１４から搬送されるシートに形成する。ＭＦＰ１０は画像を形成されたシートを排紙部１０ａに排紙する。ＭＦＰ１０は、プリントモードとして例えば、スキャナ部１２でシートタイプの原稿を読取ってプリントするシートモードと、スキャナ部１２でブックタイプの原稿を読取ってプリントするブックモードを備える。プリンタ部１１のプリントモードは限定されず、（２in１）モード等を備えていても良い。プリンタ部１１のプリント方式は、電子写真方式或いは、インクジェット方式等任意である。
【００１２】
ＭＦＰ１０の要部を構成する概略ブロック図を図３に示す。ＭＦＰ１０は、システムバス２２を介して互いに接続される制御部であるＣＰＵ３０、ＲＯＭ３１、ＲＡＭ３２、画像メモリ３３、スキャナ部１２、画像処理部３６、プリンタ部１１、網制御回路（ＮＣＵ）３８、モデム３９、パーソナルコンピュータ(以下ＰＣと称する)インタフェース４１、コントロールパネル１６を備える。
【００１３】
ＣＰＵ３０は、ＲＯＭ３１に格納された制御プログラムに基づいてＭＦＰ１０全体を制御する。ＲＡＭ３２は、ＣＰＵ３０が各種の処理を行う上で必要となる各種の情報を格納する。ＲＡＭ３２はプリントモードがブックモードである場合の、画像処理部３６での処理情報を格納する。画像メモリ３３は、画像の送受信、あるいは画像プリント等の画像データ処理に係る画像データを記憶する。画像処理部３６はスキャナ部１２で生成された画像信号に関して、ディジタル化、シェーディング補正、ページを上下に反転する制御等の各種の補正処理などを行って画像データを生成する。
【００１４】
ＮＣＵ３８は電話回線２３に接続し電話回線２３の状態監視や発信処置等を行う。モデム３９はＮＣＵ３８を介して電話回線２３に接続し、ネットワークプリンタとして、ファクシミリ、ユーザ端末、或いは携帯端末等との信号を授受する。ＰＣインタフェース４１は、ＰＣ２４に接続し、ＣＰＵ３０とＰＣ２４との間での制御コマンドや画像データを授受する。
【００１５】
ＭＦＰ１０は、コントロールパネル１６、ＰＣ２４、ファクシミリ、ユーザ端末、或いは携帯端末等からの入力に従い、プリンタ部１１で必要なプリントを行う。或いはＭＦＰ１０の状態をコントロールパネル１６に表示し、或いはＰＣ２４や外部端末に送信する。
【００１６】
ＭＦＰ１０にて、例えばＡ・４サイズのブックタイプの原稿をブックモードで連続プリントする場合の操作を図４に示すフローチャートを参照して説明する。レディ状態にて、ユーザは、例えば図５（ａ）に示すディスプレイ１６ｂに表示されるモード選択画面６０で、「ブックモード」６１を選択する。ＣＰＵ３０は、ＲＡＭ３２に格納されるブックモードの処理情報に基づいてブックモードをスタートする。ブックモードのスタートにより、ディスプレイ１６ｂは、図５（ｂ）に示す原稿セット画面６２に、「角を基準点に合わせて、原稿を原稿台にセットしてください。」と表示する。
【００１７】
図６に示すＡ・４サイズのブックタイプの原稿５０を例えば左ページ５１から連続プリントする場合、ユーザは原稿５０を見開いて、左ページ５１を原稿台１８にセットする。左ページ５１の下側を原稿台１８のリアサイドの原稿スケール２０ｂに合わせ、原稿５０の左下５１ａの角を原稿台１８の基準点２１に合わせる。ユーザは、左ページ５１を原稿台１８にセットした後、コントロールパネル１６のプリントキー１６ｃをオンする。
【００１８】
ＣＰＵ３０はプリントキー１６ｃのオン（ＡＣＴ１００でＹｅｓ．）によりプリント枚数をＮ＝１に設定し（ＡＣＴ１０１）、スキャナ部１２により、左ページ５１をスキャンする（ＡＣＴ１０２）。プリント枚数Ｎが奇数である場合（ＡＣＴ１０３でＮｏ．）は、ＣＰＵ３０はスキャナ部１２が読取った画像信号の上下を反転しないよう画像処理部３６を制御する。プリンタ部１１は、上下に反転しない画像データに基づいて１ページ目をプリントし（ＡＣＴ１０５）、プリントを形成したシートを排紙部１０ａに排紙する。
【００１９】
左ページ５１のプリントを終了すると、ＣＰＵ３０の指示により、ディスプレイ１６ｂは、図５（ｃ）に示す次ページプリント画面６３を表示する。ユーザが次ページプリント画面６３で「あり」６４を選択すると、ディスプレイ１６ｂは、図５（ｄ）に示す次ページセット画面６７に、「次ページを原稿台にセットしてください。」と表示する。
【００２０】
ユーザは、右ページ５２を原稿台１８にセットする。右ページ５２の上側を原稿台１８のリアサイドの原稿スケール２０ｂに合わせ、原稿５０の右上５２ａの角を原稿台１８の基準点２１に合わせる。ユーザは、右ページ５２を原稿台１８にセットした後、コントロールパネル１６のプリントキー１６ｃをオンする。
【００２１】
１ページ目のプリント（ＡＣＴ１０５）後、続けてプリントキー１６ｃがオンされると（ＡＣＴ１０７でＹｅｓ．）、ＣＰＵ３０は、（ＡＣＴ１０８）でプリント枚数に１を加算（Ｎ＝Ｎ＋１）し、(ＡＣＴ１０２)に進んで右ページ５２をスキャンする。プリント枚数Ｎが偶数である場合（ＡＣＴ１０３でＹｅｓ．）、ＣＰＵ３０はスキャナ部１２が読取った画像信号の上下を反転するよう画像処理部３６を制御する。画像処理部３６は（ＡＣＴ１０４）で画像信号の上下を反転する。プリンタ部１１は、上下を反転した画像データに基づいて２ページ目をプリントし（ＡＣＴ１０５）、プリントを形成したシートを排紙部１０ａに排紙する。排紙部１０ａに排紙される、１枚目のシート(左ページ５１をプリント)上のプリント画像と２枚目のシート(右ページ５２をプリント)上のプリント画像の上下方向は同じ方向を向く。
【００２２】
この後ユーザは、原稿５０をページ毎に連続してプリントするために、左ページ５１と右ページ５２をプリントする毎に、原稿５０の上下を反転して、原稿台１８に原稿５０をセットし、プリントキー１６ｃをオンする。ＣＰＵ３０は、ページ毎にＡＣＴ１０７、ＡＣＴ１０８、ＡＣＴ１０２〜ＡＣＴ１０５の操作を繰り返す。プリンタ部１１は、ブックモードでのプリントが奇数枚目であれば、上下を反転しない画像データに基づいてシートに画像をプリントする。プリンタ部１１はブックモードでのプリントが偶数枚目であれば、上下を反転した画像データに基づいてシートに画像をプリントする。プリンタ部１１は、奇数枚目と偶数枚目とで画像データの上下を反転してプリントしたシートを排紙部１０ａに排紙する。ＭＦＰ１０は、ブックタイプの原稿５０を連続してプリントした場合に、全ページに渡り画像の上下方向が揃い、画像の上下方向が同じとなる連続プリント画像を得られる。
【００２３】
又ＭＦＰ１０は、ユーザが原稿台１８に原稿５０をセットする場合に、左下５１ａの角あるいは右上５２ａの角を基準点２１に合わせるよう設定している。したがって、原稿５０の中央の綴じ代を基準として原稿台１８にセットする場合に比べて、左ページ５１或いは右ページ５２のどちらをプリントする場合であっても、原稿台１８の左サイドの原稿スケール２０ａから原稿５０の書き込み領域までの余白の幅を一定に保持することができる。ＭＦＰ１０は、ブックタイプの原稿５０を連続してプリントした場合に、プリント画像のサイドの余白が一定の連続プリント画像を得られる。
【００２４】
ブックモードでの連続プリントを終了する場合、ユーザは、例えば(ＡＣＴ１０５)のプリント後、図５（ｃ）に示す次ページプリント画面６３で、「なし」６５を選択する。或いはユーザは、次ページプリント画面６３を選択せずに終了する。ブックモードでのプリントを終了すると、ユーザはプリントキー１６ｃをオンしない。プリントキー１６ｃがオンされずに（ＡＣＴ１０７でＮｏ．）所定時間を経過すると（ＡＣＴ１１０でＹｅｓ．）、ＣＰＵ３０はブックモードでのプリント処理を終了する。
【００２５】
なお、ブックモードでの連続プリントを例えば原稿５０の右ページ５２から開始する場合も、左ページ５１から連続プリントする場合と同様である。ブックモードでプリントする毎にユーザは順次原稿５０の上下を反転して、原稿台１８に原稿５０をセットし、プリントキー１６ｃをオンする。画像処理部３６は、プリント枚数Ｎが奇数であれば、画像信号の上下を反転せず、プリント枚数Ｎが偶数であれば、画像信号の上下を反転する。プリンタ部１１は、奇数枚目と偶数枚目とで画像データの上下を反転してプリントしたシートを排紙部１０ａに排紙する。ブックタイプの原稿５０を右ページ５２から連続してプリントした場合も、左ページ５１から連続してプリントした場合と同様に、全ページに渡り画像の上下方向が揃い、画像の上下方向が同じとなる連続プリント画像を得られる。なおブックタイプの原稿のサイズはＡ・４サイズに限定されない。
【００２６】
実施形態によれば、ブックモードでの連続プリント時、ユーザはプリントする毎に、右ページ５２と左ページ５１とで、原稿５０の上下を反転して、原稿台１８にセットする。ＭＦＰ１０では、プリント枚数Ｎが奇数であれば、画像信号の上下を反転せず、プリント枚数Ｎが偶数であれば、画像信号の上下を反転して、プリント画像を形成する。ＭＦＰ１０の排紙部１０ａ上に排紙される連続プリント画像は、画像の上下方向が揃い、画像の上下方向が同じ方向を向く。プリント後、画像の上下を同じ方向に揃えるための帳合い操作が不要となる。
【００２７】
実施形態によれば、原稿５０の左下５１ａの角あるいは右上５２ａの角を原稿台１８の基準点２１にあわせて原稿台１８に原稿５０をセットする。ブックタイプの原稿５０であっても、複数ページにわたり、画像のサイドの余白が一定で見易い連続プリント画像を得られる。
【００２８】
この発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことが出来る。この実施形態やその変形は、発明の範囲や要旨に含まれるとともに、特許請求の範囲に記載された発明とその均等の範囲に含まれる。
【符号の説明】
【００２９】
１０…ＭＦＰ
１１…プリンタ部
１２…スキャナ部
１６…コントロールパネル
１８…原稿台
２１…基準点
３０…ＣＰＵ
３６…画像処理部
【図１】
2014090390.tif 000003
【図２】
2014090390.tif 000004
【図３】
2014090390.tif 000005
【図４】
2014090390.tif 000006
【図５】
2014090390.tif 000007
【図６】
2014090390.tif 000008